(57)【要約】  気体流（Ｆ）を生成して処理するための装置は、気体流を放出するための少なくとも一つの第一放出開口（２ｂ）、交換閉鎖容器に液体（Ｌ）を供給するための手段（３；４）、交換閉鎖容器（２）に含まれる液体（Ｌ）を放出するための手段（３；５）、及び空気圧伝達手段（６）を有する交換閉鎖容器（２）を含み、空気圧伝達手段（６）が、操作時に、交換閉鎖容器（２）の外側から来る流入気体流（Ｆ）を吸引又は吹付によって作ることができ、流入気体流（Ｆ）が、交換閉鎖容器（２）に含まれる液体の体積（Ｖ）中に導入され、液体の体積との直接接触によって処理された流出気体流（Ｆ′）が交換閉鎖容器の内側で上昇し、交換閉鎖容器（２）の放出開口（２ｂ）の通過によって前記交換閉鎖容器（２）から放出される。装置は、流出気体流（Ｆ′）中で測定される第一操作パラメーター（Ｘｏｕｔ）を測定するための第一手段（７）、又は交換閉鎖容器（２）に含まれるもしくは交換閉鎖容器（２）から来る液体中の化合物の濃度（ＣＬｏｕｔ）を測定するか又は交換閉鎖容器（２）に含まれるもしくは交換閉鎖容器（２）から来る液体のｐＨ（ｐＨｏｕｔ）を測定する第一操作パラメーターを測定するための第一手段（７′）をさらに含む。装置は、少なくとも第一操作パラメーター（Ｘｏｕｔ）に依存して交換閉鎖容器中の液体の高さ（ｈ）を自動的に調整するように交換閉鎖容器の供給手段（３；４）及び交換閉鎖容器の放出手段（３；５）を自動的に制御するための電子制御手段（９）を含む。【選択図】  図１
2020507465.tif 000002
【特許請求の範囲】
【請求項１】
気体流（Ｆ）を生成して処理するための装置であって、その装置が、交換閉鎖容器（２）を含み、交換閉鎖容器（２）が、気体流を放出するための少なくとも一つの第一放出開口（２ｂ）、交換閉鎖容器（２）の前記第一放出開口（２ｂ）が交換閉鎖容器に含まれる液体の体積（Ｖ）の表面（Ｓ）の上に位置されながら交換閉鎖容器（２）がこの液体の体積（Ｖ）を含むことができるように交換閉鎖容器に液体（Ｌ）を供給するための手段（３；４）、交換閉鎖容器（２）に含まれる液体（Ｌ）を放出するための手段（３；５）、及び空気圧伝達手段（６）を有し、空気圧伝達手段（６）が、操作時に、吸引又は吹付によって交換閉鎖容器（２）の外側から来る流入気体流（Ｆ）を作ることができ、この流入気体流（Ｆ）が液体の体積（Ｖ）の表面（Ｓ）の下で、交換閉鎖容器（２）に含まれる液体の体積（Ｖ）中に導入され、かつ前記液体の体積（Ｖ）との直接接触によって処理された流出気体流（Ｆ′）が交換閉鎖容器の内側で上昇し、交換閉鎖容器（２）の放出開口（２ｂ）の通過によって前記交換閉鎖容器（２）から放出される、装置において、前記装置が、流出気体流（Ｆ′）中で測定される第一操作パラメーター（Ｘｏｕｔ）を測定するための第一手段（７）、又は交換閉鎖容器（２）に含まれるもしくは交換閉鎖容器（２）から来る液体中の化合物の濃度（ＣＬｏｕｔ）を測定するか又は交換閉鎖容器（２）に含まれるもしくは交換閉鎖容器（２）から来る液体のｐＨ（ｐＨｏｕｔ）を測定する第一操作パラメーター（Ｘｏｕｔ）を測定するための第一手段（７′）をさらに含むこと、及び前記装置が、少なくとも第一操作パラメーター（Ｘｏｕｔ）に依存して交換閉鎖容器中の液体の高さ（ｈ）を自動的に調整するように交換閉鎖容器の供給手段（３；４）及び交換閉鎖容器の放出手段（３；５）を自動的に制御するための電子制御手段（９）を含むことを特徴とする装置。
【請求項２】
第一操作パラメーター（Ｘｏｕｔ）が、液体の体積の上で交換閉鎖容器（２）中で測定された圧力（Ｐｏｕｔ）である、請求項１に記載の装置。
【請求項３】
第一操作パラメーター（Ｘｏｕｔ）が、流出気体流（Ｆ′）の温度（Ｔｏｕｔ）である、請求項１に記載の装置。
【請求項４】
第一操作パラメーター（Ｘｏｕｔ）が、流出気体流（Ｆ′）中の成分の濃度（Ｃｏｕｔ）である、請求項１に記載の装置。
【請求項５】
装置が、流出気体流（Ｆ′）の外側で第二操作パラメーター（Ｘｉｎ）を測定するための第二手段（８；８′）をさらに含み、電子制御手段（９）が、第二操作パラメーター（Ｘｉｎ）にも依存して交換閉鎖容器（２）中の液体の高さ（ｈ）を自動的に調整するように交換閉鎖容器（２）の供給手段（３；４）及び交換閉鎖容器（２）の放出手段（３；５）を自動的に制御することができる、請求項１〜４のいずれかに記載の装置。
【請求項６】
第二測定手段（８）が、流入気体流（Ｆ）において前記第二操作パラメーター（Ｘｉｎ）を測定することができる、請求項５に記載の装置。
【請求項７】
第二操作パラメーター（Ｘｉｎ）が、流入気体流（Ｆ）で測定された圧力（Ｐｉｎ）である、請求項６に記載の装置。
【請求項８】
第二操作パラメーター（Ｘｉｎ）が、流入気体流（Ｆ）の温度（Ｔｉｎ）である、請求項６に記載の装置。
【請求項９】
第二操作パラメーター（Ｘｉｎ）が、流入気体流（Ｆ）中の成分の濃度（Ｃｉｎ）である、請求項６に記載の装置。
【請求項１０】
第二操作パラメーター（Ｘｉｎ）が、交換閉鎖容器（２）の外側の液体中の化合物の濃度（ＣＬｉｎ）である、請求項５に記載の装置。
【請求項１１】
第二操作パラメーター（Ｘｉｎ）が、交換閉鎖容器（２）の外側の液体のｐＨ（ｐＨｉｎ）、特に交換閉鎖容器（２）中への導入前の新しい液体におけるｐＨ（ｐＨｉｎ）である、請求項５に記載の装置。
【請求項１２】
電子制御手段（９）が、第一操作パラメーター（Ｘｏｕｔ）と第二操作パラメーター（Ｘｉｎ）の間の差に依存して交換閉鎖容器（２）の供給手段（３；４）及び交換閉鎖容器（２）の放出手段（３；５）を自動的に制御することができる、請求項５〜１１のいずれかに記載の装置。
【請求項１３】
交換閉鎖容器（２）の液体供給手段（３；４）が、液体（Ｌ）の供給源（３）を含み、交換閉鎖容器（２）の底部が、少なくとも一つの液体取入開口（２ａ）を含み、液体供給源（３）中に沈められている、請求項１〜１２のいずれかに記載の装置。
【請求項１４】
液体の供給源（３）が、液体の上の供給源（３）における圧力（Ｐｉｎ）が流入気体流（Ｆ）における圧力に等しいように封止される、請求項１３に記載の装置。
【請求項１５】
電子制御手段（９）が、液体のｐＨ及び／又は液体中の化合物の濃度及び／又は液体の温度のような、交換閉鎖容器（２）から来るもしくは交換閉鎖容器（２）の液体中で測定されたパラメーター及び／又は交換閉鎖容器（２）中に導入する前の新しい液体中で測定されたパラメーターに依存して、及び／又は気体流の温度又は気体流中の成分の濃度のような、流入気体流（Ｆ）中で測定されたパラメーター及び／又は流出気体流（Ｆ′）中で測定されたパラメーターに依存して、交換閉鎖容器（２）中の液体の連続的又は不連続的な更新を可能にするように閉鎖交換容器の供給手段（３；４）及び閉鎖交換容器の放出手段（３；５）を自動的に制御することができる、請求項１〜１４のいずれかに記載の装置。
【請求項１６】
装置の交換閉鎖容器（２）に含まれる液体の体積中に流入気体流（Ｆ）を通すことによって処理された少なくとも一種の気体流（Ｆ′）を生成するための請求項１〜１５のいずれかに記載の少なくとも一つの装置の使用。
【請求項１７】
流入気体流（Ｆ）を濾過及び／又は浄化及び／又は冷却及び／又は加熱するための請求項１６に記載の使用。
【請求項１８】
燃焼から生じる流入気体流（Ｆ）又は工業煙霧を含有する流入気体流（Ｆ）、特に高温工業煙霧、又はＮＯｘ（酸化窒素）、ＶＯＣ（揮発性有機化合物）、ＳＯｘ（酸化硫黄）、ＰＡＨ（多環芳香族炭化水素）、ＣＯ、ＣＯ２、ＮＨ３、及びクロラミンから選択される化合物の少なくとも一種を含む気体流を処理するための請求項１６又は１７に記載の使用。
【発明の詳細な説明】
【技術分野】
【０００１】
本発明は、気体流を生成して、液体の体積を自動調整しながら液体の体積に通過させて気体流を処理することに関する。それは、様々な分野で適用可能であり、例えば網羅的でないが、気体流中の熱量の回収、特に熱空気流又は産業煙霧中の熱量の回収、前記液体の体積を通過すると加熱又は冷却される気体流の生成、温度が制御されかつ／又は絶対湿度が制御される気体流の生成、気体流の加湿又は除湿、気体流の浄化又は濾過、液体との化学反応による気体流の処理、サイトもしくは産業、サービスセクター又は家屋の加熱又はエアコンディショニング、又はサイトもしくは産業、サービスセクター又は家屋の湿度測定の制御で適用可能である。
【背景技術】
【０００２】
気体流と液体を直接接触するように配置して、液体と気体の間の熱交換によって気体流を処理、特に加熱又は冷却するための液体、例えば水の使用は、古い技術であり、それは、特に冷却剤のタイプの熱伝達液を使用することを避けるので環境に優しいという利点を有する。気体流、特に空気流の加熱又は冷却は、例えば制御された温度を有する気体流を生成することを意図されることができるか、及び／又は制御された絶対湿度を有する気体流を生成することを意図されることができる。
【０００３】
この技術を実施するための第一の既知の解決策は、気体流を液体の微細な滴のカーテンに通すか、もしくは気体透過性であり液体を含有する交換表面、例えば水を吸収した繊維材料に通すか、もしくは湿潤したプレートに接触して気体流を循環させることにある。このタイプの解決策の主な欠点は、液体と気体流の間の熱交換の極めて低いエネルギー収率、及び得られることができる空気流速の低さにある。
【０００４】
第二の既知の解決策は、気体流、特に空気流を、交換閉鎖容器に含まれる液体の体積に直接通すことにあり、それは、空気流を液体の体積中に前記液体の体積の表面の下に注入することによって行なう。このタイプの解決策は、例えば国際特許出願ＷＯ２００６／１３８２８７及び米国特許ＵＳ４６９７７３５（図３）に記載されている。このタイプの解決策はまた、国際特許出願ＷＯ２０１５／０８６９７９及びＷＯ２０１６／０７１６４８に記載されている。この第二の技術的解決策は、液体と気体流の間の熱交換のエネルギー収率を第一の技術的解決策における収率より高くすることができる利点を持つ。
【０００５】
この第二の技術的解決策では、気体流と液体の体積の間の熱交換は、気体流が通過する液体の高さに依存する。この液体の高さが高いほど、この熱交換が大きくなるだろう。例えば、液体が気体流を加熱又は冷却するために使用されるとき、交換閉鎖容器中の液体高さが高いほど、気体流と液体の間の単位時間あたりに交換される熱量が大きくなる。液体が気体流中の化合物を捕獲するために使用されるとき、交換閉鎖容器中の液体高さが高いほど、液体中の単位時間あたりに捕獲される化合物の量が大きくなる。
【０００６】
一部の用途では、交換閉鎖容器の入口の気体流における圧力及び／又は交換閉鎖容器の出口の気体流における圧力は、制御されない態様で変動し、それは、この圧力変動を補償する交換閉鎖容器中の液体の高さの変動を自動的に起こす。この液体高さの変動は、装置の操作点の変化を生じ、交換閉鎖容器中の液体の体積と気体流の間の熱交換は、制御されない態様で有害に変更される。
【０００７】
一部の用途では、たとえ交換閉鎖容器の入口の気体流における圧力及び交換閉鎖容器の出口の気体流における圧力が経時的に一定であるとしても、例えばそれを最適にするためには、装置の操作点を変動できること、従って気体流と液体の体積の間の熱交換のレベルを変動できることは有用でありうる。
【０００８】
より一般的な方法では、気体流を生成して、交換閉鎖容器に含まれる液体の体積に気体流を通すことによって処理するための装置の操作点を自動調整する必要性がある。
【発明の概要】
【発明が解決しようとする課題】
【０００９】
本発明の一つの目的は、気体流を生成し、交換閉鎖容器に含まれる液体に通過させることによって気体流を処理し、装置の操作点を自動調整することを可能にする新しい技術的解決策を提案することである。
【課題を解決するための手段】
【００１０】
本発明は、気体流を生成して処理するための装置であって、その装置は、気体流を放出するための少なくとも一つの第一放出開口、交換閉鎖容器の前記第一放出開口が交換閉鎖容器に含まれる液体の体積の表面の上に位置されながら交換閉鎖容器がこの液体の体積を含むことができるように交換閉鎖容器に液体を供給するための手段、交換閉鎖容器に含まれる液体を放出するための手段、及び空気圧伝達手段を有する交換閉鎖容器を含み、空気圧伝達手段が、操作時に、交換閉鎖容器の外側から来る流入気体流を吸引又は吹付によって作ることができ、流入気体流が液体の体積の表面の下で、交換閉鎖容器に含まれる液体の体積中に導入され、前記液体の体積との直接接触によって処理された流出気体流が交換閉鎖容器の内側で上昇し、交換閉鎖容器の放出開口の通過によって前記交換閉鎖容器から放出される装置に関する。
【００１１】
本発明によれば、前記装置は、流出気体流中で測定される第一操作パラメーター（Ｘｏｕｔ）を測定するための第一手段、又は交換閉鎖容器に含まれるもしくは交換閉鎖容器から来る液体中の化合物の濃度（ＣＬｏｕｔ）を測定するか、又は交換閉鎖容器に含まれるもしくは交換閉鎖容器から来る液体のｐＨ（ｐＨｏｕｔ）を測定する第一操作パラメーター（Ｘｏｕｔ）を測定するための第一手段をさらに含むこと、及び前記装置が、特に前記装置の作動中に、少なくとも第一操作パラメーター（Ｘｏｕｔ）に依存して交換閉鎖容器中の液体の高さ（又は換言すれば液体のレベル）を自動的に調整するように交換閉鎖容器の供給手段及び交換閉鎖容器の放出手段を自動的に制御するための電子制御手段を含むことを特徴とする。
【００１２】
特に、しかし任意選択的に、本発明によれば、本発明の装置は、請求項２〜１５のいずれかの記載に従って規定された以下の追加の任意選択的な技術的特徴を個々に又は組み合わせて含むことができる。
【００１３】
本発明はまた、装置の交換閉鎖容器に含まれる液体の体積に通過させることによって処理された少なくとも一つの気体流を生成するための上で言及した少なくとも一つの装置の使用に関する。
【００１４】
特に、本発明は、流入気体流を濾過及び／又は浄化及び／又は冷却及び／又は加熱するための上で言及した少なくとも一つの装置の使用に関する。
【００１５】
特に、本発明は、燃焼から生じる流入気体流又は工業煙霧を含有する流入気体流、特に高温工業煙霧、又はＮＯｘ（酸化窒素）、ＶＯＣ（揮発性有機化合物）、ＳＯｘ（酸化硫黄）、ＰＡＨ（多環芳香族炭化水素）、ＣＯ、ＣＯ２、ＮＨ３、及びクロラミンから選択される化合物の少なくとも一種を含む気体流を処理するための上で言及した少なくとも一つの装置の使用に関する。
【図面の簡単な説明】
【００１６】
本発明の特徴及び利点は、添付図面を参照して本発明の幾つかの特定の実施形態の以下の詳細な記述を読むことから明らかになるだろう。その特定の実施形態は、本発明の限定されないかつ網羅的でない例である。
【図１】図１は、本発明による第一装置の概略図である。
【図２】図２は、本発明による第二装置の概略図である。
【発明を実施するための形態】
【００１７】
気体流を生成して処理するための本発明による装置の幾つかの例が以下に詳細に記載されるだろう。前記装置は、液体の体積に通すことによって気体流を処理することが有用である全ての用途に使用されることができる。従って、前記装置は、極めて広い分野、例えば網羅的でないが、気体流における熱量の回収、特に熱空気流又は産業煙霧における熱量の回収、前記液体の体積に通すと加熱又は冷却される気体流の生成、温度が制御されかつ／又は絶対湿度が制御される気体流の生成、気体流の加湿又は除湿、気体流の浄化又は濾過、気体流が通過した液体との化学反応による気体流の処理、サイト又は産業、サービスセクター、家屋の加熱又はエアコンディショニング、サイト又は産業、サービスセクター、家屋の湿度測定の制御に使用されることができる。生成された気体流はまた、いかなるタイプの物体又は表面を冷却、加熱、加湿又は除湿するために使用されることができる。
【００１８】
図１の特定の実施形態を参照すると、気体流を生成して処理するための装置１Ａは、交換閉鎖容器２、及び液体浴Ｌ、例えば水を含有するタブ３の形の液体の供給源を含む。
【００１９】
本発明は、液体Ｌとして水の使用に限定されず、いずれの他のタイプの液体の使用にも及ぶ。限定されない網羅的でない例によれば、ある用途では、大気圧での凝固温度が０℃より低い液体Ｌ、例えば塩、炭水化物、グリコール又はアルコール添加物を含有する水を使用することが有利でありうる。また、液体Ｌとして油を使用することが有利でありうる。
【００２０】
特に、図１のこの変形例では、タブ３は、タブ３に含まれる液体浴Ｌが交換閉鎖容器２に対する外部圧力から分離され、例えば装置１Ａが外気中にある時に大気圧から分離されるように気密態様で閉じられる。
【００２１】
別の変形例では、タブ３は、交換閉鎖容器２の外側の液体の体積が例えば大気圧であるように開放されることができる。
【００２２】
各交換閉鎖容器２の底部２０の下面は、開放されており、従って液体取入開口２ａを形成する。各交換閉鎖容器２の底部２０は、液体の十分なレベルでタブ３を満たすことによって、各交換閉鎖容器２の底部２０がタブ３に含まれる液体浴に沈められ、かつ各交換閉鎖容器２の沈められた部分が液体の体積Ｖを含有するようにタブ３中に位置づけられる。
【００２３】
交換閉鎖容器２は、その上部において、気体流の少なくとも一つの放出開口２ｂを含み、その開口は、交換閉鎖容器２に含まれる液体の体積Ｖの上に位置される。
【００２４】
タブ３への新しい液体の供給のために、装置１Ａは、液体浴の上に、タブ３中に開口する液体供給導管４０を含む新しい液体供給手段４をさらに含み、液体供給導管４０は、タブ３への新しい液体の供給を制御するための供給弁４１を備えている。この変形例では、タブ３及びタブ３に液体を供給するための手段４は、交換閉鎖容器２のための液体供給手段を形成する。
【００２５】
装置１Ａは、タブ３に含まれる液体浴の表面の下で、その底部に、タブ３の内側と連通する放出導管５０を有する放出手段５をさらに含み、放出導管５０は、タブ３から外への液体の放出を制御するための放出弁５１を備えている。この変形例では、タブ３及び放出手段５は、交換閉鎖容器２に含まれる液体を放出するための手段を形成する。
【００２６】
別の実施形態（図示せず）では、例えば国際特許出願ＷＯ２０１５／０８６９７９に記載されるように、交換閉鎖容器の底部は、タブ３に沈められるのではなく、前記交換閉鎖容器は、底部を閉じられ、タブ３を使用せずにパイプによって液体を直接供給されることができる。
【００２７】
装置１Ａはまた、空気圧伝達手段６を含み、空気圧伝達手段６は、操作時に、交換閉鎖容器２の外側から来る流入気体流Ｆを作ることができ、流入気体流Ｆは、液体の体積Ｖの表面Ｓの下で、交換閉鎖容器２に含まれる液体の体積Ｖ中に導入され、前記液体の体積との直接接触によって処理された流出気体流Ｆ′は、交換閉鎖容器２の内側で上昇し、交換閉鎖容器２の放出開口２ｂを通過することによって交換閉鎖容器２から外に放出される。
【００２８】
図１の特定の例では、空気圧伝達手段６は、操作時に、交換閉鎖容器２の外側から来る流入気体流Ｆを吸引によって作ることができる。別の変形例では、空気圧伝達手段６は、操作時に、吹付によって前記流入気体流Ｆを作ることができる。
【００２９】
図１の特定の例では、これらの空気圧伝達手段６は、ファン６０を含み、その取入口６０ａは、交換閉鎖容器２の放出開口２ｂに接続されている。
【００３０】
ファン６０は、例えば遠心ファン、又はいずれかの既知のタイプの気体コンプレッサー、例えば軸流ファン、ポンプなどであることができる。
【００３１】
空気圧伝達手段６はまた、液体の体積Ｖの表面Ｓの下で、交換閉鎖容器２に含まれる液体の体積Ｖ中に流入気体流Ｆを導入するための注入手段６１を含む。
【００３２】
図１の特定の例では、これらの注入手段６１は、交換閉鎖容器２内に位置された垂直注入導管６１０を含み、垂直注入導管６１０は、上部に気体流取入開口６１０ａ、下部に気体流放出開口６１０ｂを含む。取入開口６１０ａは、交換閉鎖容器２の外側に位置された気体流取入パイプ６１１と連通する。前記取入パイプは、気体流取入開口６１１ａを含む。
【００３３】
本発明によれば、この取入開口６１１ａは、例えば外気に開放されてもよく、又は気体流Ｆが捕獲されるいずれかの設備又はいずれかの装置に接続されてもよい。
【００３４】
ファン６０が作動しているとき、交換閉鎖容器２の内側は、減圧される。ファン６０が作動しているとき、交換閉鎖容器２の外側で液体浴Ｌの上のタブ３における圧力は、タブ３の封止された囲いのため、注入導管６１０の入口の流入気体流Ｆの圧力Ｐｉｎに等しい。この圧力Ｐｉｎは、交換閉鎖容器２における液体の体積の上の圧力Ｐｏｕｔより大きい。
【００３５】
交換閉鎖容器２におけるこの圧力差ΔＰ（ΔＰ＝Ｐｉｎ−Ｐｏｕｔ）（図４）は、交換閉鎖容器２における液体のレベル（図１／高さｈ）の上昇、及び交換閉鎖容器２の外側のタブ３中の液体のレベル（図１／高さＨ）の減少をもたらす。
【００３６】
交換閉鎖容器２における液体の体積Ｖ及び液体のレベルｈは、この圧力差ΔＰに依存する。
【００３７】
ファン６０が作動しているとき、それは、注入導管６１０の取入開口６１０ａを通って交換閉鎖容器２の注入導管６１０に入る流入気体流Ｆを吸引する。この流入気体流Ｆ（未処理）は、注入導管６１０の沈められていない部分中に導入され、注入導管６１０の沈められた底部の放出開口６１０ｂを通過し、液体の体積Ｖの表面Ｓの下で、交換閉鎖容器２の沈められた底部に含まれる液体の体積Ｖ中に導入される。交換閉鎖容器２に含まれる前記液体の体積と直接接触することによって処理された流出気体流Ｆ′は、注入導管６１０の外側の交換閉鎖容器２の内側で上昇し、交換閉鎖容器の放出開口２ｂを通過することによって前記交換閉鎖容器から外に放出される。この流出気体流Ｆ′は、ファン６０によって吸引され、気体流Ｆ″の形で放出される（図１）。
【００３８】
用途によって、このファン６０の空気出口６０ｂは、例えば外気に開放してもよく、又は気体流Ｆ″が別の装置又は別の設備に送られ、外気中に放出されないようにパイプ（図示せず）に接続されてもよい。
【００３９】
閉鎖容器２中の液体の体積Ｖの温度が液体の体積Ｖ中に導入される前の気体流Ｆの温度と異なるとき、顕熱及び潜熱によって気体と液体の間で熱交換が起こる。
【００４０】
液体の体積の温度ＴＬｉｑｕｉｄが液体の体積中に導入される前の気体流Ｆの初期温度ＴＩｎｉｔｉａｌより低いとき、気体流Ｆ′が冷却される。特に、流出気体流Ｆ′の温度は、低下され、例えば液体の体積の温度ＴＬｉｑｕｉｄと実質的に等しくすることができる。その結果、装置１Ａからの流出気体流Ｆ′が流入気体流Ｆに対して必ず除湿され、流出気体流Ｆ′における絶対湿度（空気の体積あたりの水の重量）が流入気体流Ｆの絶対湿度より必ず低くなる。
【００４１】
逆に、液体の体積の温度ＴＬｉｑｕｉｄが初期温度ＴＩｎｉｔｉａｌより高いとき、流出気体流Ｆ′は、加熱され、例えば液体の体積の温度ＴＬｉｑｕｉｄに実質的に等しい温度であることができる。その結果、装置１Ａからの流出気体流Ｆ′が流入気体流Ｆに対して必ず加湿され、流出気体流Ｆ′における絶対湿度（空気の体積あたりの水の重量）が流入気体流Ｆの絶対湿度より必ず高くなる。
【００４２】
一部の用途では、装置１Ａは、流入気体流Ｆを液体の体積Ｖに通過させることによって流入気体流Ｆを濾過又は浄化するために使用されることができる。装置１Ａはまた、流入気体流Ｆを液体の体積Ｖに通過させることによって、流入気体流Ｆによって移動された一種以上の化合物を凝縮又は蒸発するために使用されることができる。用途によって、液体の体積の温度は、流入気体流Ｆの温度より高く又は低くすることができ、又は流入気体流Ｆの温度に実質的に等しくすることができる。液体の体積の温度が流入気体流Ｆの温度に実質的に等しいとき、装置１Ａの出口で生成される流出気体流Ｆ′は、加熱又は冷却されなかったものであり、流入気体流Ｆと実質的に同じ温度である。
【００４３】
図１の変形例では、ファン６０は、吸引によって気体流Ｆ及びＦ′を作ることを可能にする。別の変形例では、ファン６０は、吸引によってではなく、吹付によってこれらの気体流Ｆ及びＦ′を作るように注入導管６１０の取入開口６１０ａに接続されてもよい。
【００４４】
図１を参照すると、装置１Ａは、流出気体流Ｆ′において（この場合には液体Ｌの体積の上の交換閉鎖容器２において）測定される第一操作パラメーターＸｏｕｔを測定するための第一手段７を含む。
【００４５】
装置１Ａは、流入気体流Ｆにおいて（この場合には注入導管６１０の取入開口６１０ａの近くの取入パイプ６１１において）測定される第二操作パラメーターＸｉｎを測定するための第二手段８を含む。
【００４６】
装置１Ａはまた、装置の操作時に、一般に少なくとも前記第一操作パラメーターＸｏｕｔ、例えば少なくとも一つの設定値ＸＣに依存して、交換閉鎖容器２における液体の高さｈ（又は換言すれば液体のレベル）を自動的に調整するように供給手段４及び放出手段５を自動的に制御することができる電子制御手段９を含む。
【００４７】
特に電子制御手段９は、第二操作パラメーターＸｉｎにも依存して、好ましくは差Ｘｏｕｔ−Ｘｉｎ（絶対値又は代数値）に依存して、交換閉鎖容器２における液体の高さｈを自動的に調整するように供給手段４及び放出手段５を自動的に制御することができる。
【００４８】
例えば、ＸｏｕｔがＸＣより大きいとき、又は差Ｘｏｕｔ−Ｘｉｎ（絶対値）がＸＣより大きいとき、電子制御手段９は、交換閉鎖容器２における液体のレベルｈを増加するように供給手段４を自動的に制御する。逆に、ＸｏｕｔがＸＣより小さいとき、又は差Ｘｏｕｔ−Ｘｉｎ（絶対値）がＸＣより小さいとき、電子制御手段９は、交換閉鎖容器２における液体のレベルｈを減少するように放出手段５を自動的に制御する。
【００４９】
多くの用途では、交換閉鎖容器２の入口の気体流Ｆにおける圧力Ｐｉｎ及び／又は交換閉鎖容器２の出口の気体流Ｆ′における圧力Ｐｏｕｔは、制御されない態様で変動することができ、それは、制御手段９のない場合にはこの圧力変動を補償する交換閉鎖容器２における液体の高さｈの変動を自動的に起こす。この液体高さの変動は、装置の操作点の変化を生じ、交換閉鎖容器における液体の体積と気体流の間の熱交換は、制御されない態様で有害的に変更される。同様に一部の用途では、最適にするために、たとえ交換閉鎖容器２の入口の気体流における圧力Ｐｉｎ及び交換閉鎖容器２の出口の気体流における圧力Ｐｏｕｔ）が経時的に一定であっても、装置の操作点を変動できること、従って気体流と液体の体積の間の熱交換のレベルを変動できることが有用でありうる。
【００５０】
従って、第一実施形態では、第一操作パラメーターＸｏｕｔは、処理された気体流Ｆ′における圧力Ｐｏｕｔ（Ｘｏｕｔ＝Ｐｏｕｔ）であることができ、第二操作パラメーターＸｉｎは、流入気体流Ｆにおける圧力Ｐｉｎ（Ｘｉｎ＝Ｐｉｎ）であることができ、第一測定手段７及び第二測定手段８は、例えばピトープローブである。
【００５１】
圧力Ｐｏｕｔ、特に圧力差Ｐｏｕｔ−Ｐｉｎに依存して交換閉鎖容器２における液体の高さｈを自動的に調整することによって、装置の操作点、従って閉鎖容器２における液体と流入気体流Ｆの間の熱交換の品質がＰｉｎ及びＰｏｕｔ圧力にかかわらず常に一定であることが確実にされる。
【００５２】
第二変形例では、第一操作パラメーターＸｏｕｔは、処理された気体流Ｆ′で測定された温度Ｔｏｕｔ（Ｘｏｕｔ＝Ｔｏｕｔ）であってもよく、第二操作パラメーターＸｉｎは、流入気体流Ｆで測定された温度Ｔｉｎ（Ｘｉｎ＝Ｔｉｎ）であってもよく、第一測定手段７及び第二測定手段８は、この場合において温度プローブである。
【００５３】
第三変形例では、第一操作パラメーターＸｏｕｔは、処理された気体流Ｆ′で測定された（化学的又は粒状）成分の濃度Ｃｏｕｔ（Ｘｏｕｔ＝Ｃｏｕｔ）であってもよく、第二操作パラメーターＸｉｎは、流入気体流Ｆで測定されたこの成分の濃度Ｃｉｎ（Ｘｉｎ＝Ｃｉｎ）であってもよく、第一測定手段７及び第二測定手段８は、この場合においてこの成分を検出するためのプローブである。
【００５４】
限定されない網羅的でない例によれば、燃焼煙霧、特に産業煙霧から構成される気体流の処理の場合では、化学成分は、酸化窒素（ＮＯｘ）であることができ、交換閉鎖容器における液体の体積は、これらの酸化窒素を捕獲するために使用される。他の用途では、液体で捕獲される化学化合物は、限定されない網羅的でない態様でＶＯＣ（揮発性有機化合物）、ＳＯｘ（酸化硫黄）、ＰＡＨ（多環芳香族炭化水素）、ＣＯ、ＣＯ２、ＮＨ３、及びクロラミンから選択されることができる。
【００５５】
図２は、本発明の別の装置１Ｂを示し、それは、以下の使用によって図１の装置１Ａとは異なる：
−  交換閉鎖容器２に含まれる液体中で測定される第一操作パラメーター（Ｘｏｕｔ）を測定するための第一手段７′；
−  交換閉鎖容器２の外側のタブ３に含まれる液体中で測定される第二操作パラメーター（Ｘｉｎ）を測定するための第二手段８′。
【００５６】
別の変形例では、第一操作パラメーター（Ｘｏｕｔ）は、交換閉鎖容器２から来る液体中で測定されることができる。
【００５７】
別の変形例では、第二操作パラメーター（Ｘｉｎ）は、タブ３中に導入する前、従って交換閉鎖容器２中に導入する前、例えば弁４１の下流又は上流の供給導管４０中で測定されることによって新しい液体中で測定されることができる。
【００５８】
本発明の文脈では、この第一操作パラメーター（Ｘｏｕｔ）は、交換閉鎖容器２に含まれる液体中の化合物の濃度（ＣＬｏｕｔ）であってもよく、第二操作パラメーターは、交換閉鎖容器２の外側の液体中の化合物の濃度（ＣＬｉｎ）であってもよい。
【００５９】
本発明の文脈では、この第一操作パラメーター（Ｘｏｕｔ）は、交換閉鎖容器２に含まれる液体のｐＨ（ｐＨｏｕｔ）であってもよく、第二操作パラメーターは、交換閉鎖容器２の外側の液体のｐＨ（ｐＨｉｎ）であってもよく、第一測定手段７′及び第二測定手段８′は、この場合においてｐＨ測定プローブである。
【００６０】
本発明の改良された変形例では、交換閉鎖容器２中の液体の高さｈを調整することに加えて、電子制御手段９はまた、液体のｐＨ及び／又は液体中の化合物の濃度及び／又は液体の温度のような、交換閉鎖容器２から来る又は交換閉鎖容器２の液体中で測定されたパラメーター及び／又は交換閉鎖容器２中への導入前の新しい液体で測定されたパラメーターに依存して、及び／又は気体流中の成分の濃度又は気体流の温度のような、流入気体流Ｆで測定されたパラメーター及び／又は流出気体流Ｆ′で測定されたパラメーターに依存して、好ましくは装置の操作時に、交換閉鎖容器２中の液体の連続的又は不連続的な更新を可能にするように弁４１及び５１を自動的に制御するように設計され、例えばプログラムされることができる。
【図１】
2020507465.tif 000003
【図２】
2020507465.tif 000004
【国際調査報告】
2020507465.tif 000005
2020507465.tif 000006
2020507465.tif 000007
2020507465.tif 000008
2020507465.tif 000009
2020507465.tif 000010